(57)【要約】【課題】容易に割りピンの一対の脚部の先端間を離間させることのできるペンチを得る。【解決手段】それぞれ、一端及び他端の間に構成される連結部２２ａ，２２ｂを有し、連結部２２ａ，２２ｂを通過する回動軸心まわりに回動自在に連結され、他端間を接近及び離反するのに応じて、一端間が接近及び離反するように構成された一対のアーム２１Ａ，２１Ｂを備え、一方のアーム２１Ａの一端側には、他方のアーム２１Ｂに向けて開口し、頭部３が嵌合可能なピン嵌合凹部２６が所定の長さに形成され、他方のアーム２１Ｂの一端側には、ピン嵌合凹部２６の最深部と相対する頂部２８ａを有し、ピン嵌合凹部２６から離れる方向に頂部２８ａから延在するピン沿わせ面２９、及びピン沿わせ面２９から離れるにつれて、漸次ピン嵌合凹部２６から離間するように頂部２８ａから延在する第１ピン曲げ面３０からなる壁面形状の尖頭突出部２８が形成されている。【選択図】図７
2011152607.tif 000002
【特許請求の範囲】
【請求項１】
頭部、及び上記頭部から一方向に延在する一対の脚部を備える割りピンの一対の脚部の先端間を離間させるためのペンチであって、
それぞれ、一端及び他端の間に構成される連結部を有し、上記連結部を通過する回動軸心まわりに回動自在に連結され、他端間を接近及び離反するのに応じて、一端間が接近及び離反するように構成された一対のアームを備え、
一方の上記アームの一端側には、他方の上記アームに向けて開口し、上記頭部が嵌合可能なピン嵌合凹部が所定の長さに形成され、
他方の上記アームの一端側には、上記ピン嵌合凹部の最深部と相対する頂部を有し、上記ピン嵌合凹部から離れる方向に頂部から延在するピン沿わせ面、及び上記ピン沿わせ面から離れるにつれて、漸次上記ピン嵌合凹部から離間するように上記頂部から延在する第１ピン曲げ面からなる壁面形状の尖頭突出部が形成されていることを特徴とするペンチ。
【請求項２】
他方の上記アームの一端側には、上記ピン沿わせ面から離れるにつれて、漸次上記ピン嵌合凹部から離れるように、上記嵌合凹部から離間する方向に向かって上記頂部から所定距離だけ離れた上記ピン沿わせ面の基端部から延在する第２ピン曲げ面を壁面形状に有する低底部が形成されていることを特徴とする請求項１記載のペンチ。
【発明の詳細な説明】
【技術分野】
【０００１】
この発明は、割りピンの脚部の先端間を離間させるのに好適なペンチに関する。
【背景技術】
【０００２】
軸支持部材に遊嵌状態に挿通された軸が、軸支持部材から脱落するのを防止する手段として割りピンを用いることは広く知られている。
【０００３】
例えば、従来の懸垂碍子は、碍子本体と、碍子本体の外周面に取り付けられたキャップ部と、キャップ部の上端部に互いに相対して設けられた一対の突出片と、一対の突出片に遊嵌状態に挿通されて突出片に支持され、一対の突出片の外側近傍に位置する部位に、径方向を孔方向とするピン用孔が穿設されたコッターピンと、ピン用孔に挿し込まれ、コッターピンの突出片からの脱落を防止する割りピンと、を備えている（例えば、特許文献１参照）。
【０００４】
割りピンは、例えば鋼材よりなる棒状の部材を、長手方向の所定部位で折り返した形状であり、頭部と、頭部から一方向に互いの間に略隙間なく延在する一対の脚部と、を備え、一方の脚部の先端側は、他方の脚部の先端より若干延出されている。
【０００５】
そして、割りピンは、ピン用孔に一対の脚部を挿通させ、ピン用孔から延出される一対の脚部の先端側を、互いに相反する方向に折り曲げて用いられる。これにより、コッターピンが軸方向に移動して、突出片から抜けようとしても、頭部やピン用孔から突出する脚部の先端側が突出片に当接するので、コッターピンが突出片から脱落することが防止されていた。
【先行技術文献】
【特許文献】
【０００６】
【特許文献１】実用新案登録第３１２２９５５号公報
【発明の概要】
【発明が解決しようとする課題】
【０００７】
従来の懸垂碍子において、割りピンは、コッターピンの周方向に一対の脚部の先端側が並んで延出されるようにピン用孔に一対の脚部を挿通して配置される。そして、割りピンは、一対の脚部の先端側を、おおよそコッターピンの周方向の相反する方向に折り曲げてコッターピンに取り付けられる。このとき、まず、長さの長い一方の脚部の先端側を先に折り曲げ、次いで他方の脚部の先端側を一方の脚部の先端側から離れる方向に折り曲げるという手順で、一対の脚部の先端側を離間させていた。
【０００８】
コッターピンはその軸心まわりに回転可能な状態にあるので、一方の脚部の先端側を折り曲げるときは、一方の手に把持したラジオペンチ等で頭部を掴み、コッターピンの回転を規制するように頭部に力を加えながら、他方の手に把持したラジオペンチで一方の脚部の先端側を掴んで折り曲げる必要がある。
【０００９】
割りピンの一方の脚部は、他方の脚部の先端から若干延出されているだけであり、一方の脚部をラジオペンチで掴みにくい。このような条件下、コッターピンが回転しないように、両手に把持したラジオペンチに適当な力を加えて一方の脚部を折り曲げるには熟練の技が必要となり、作業者によっては、割りピンのコッターピンへの取り付け作業の効率が大きく低下してしまう。
【００１０】
この発明は上記の課題を解決するためになされたものであり、容易に割りピンの一対の脚部の先端間を離間させることのできるペンチを得ることを目的とする。
【課題を解決するための手段】
【００１１】
この発明のペンチは、頭部、及び頭部から一方向に延在する一対の脚部を備える割りピンの一対の脚部の先端間を離間させるためのものであり、それぞれ、一端及び他端の間に構成される連結部を有し、連結部を通過する回動軸心まわりに回動自在に連結され、他端間を接近及び離反するのに応じて、一端間が接近及び離反するように構成された一対のアームを備え、一方のアームの一端側には、他方のアームに向けて開口し、割りピンの頭部が嵌合可能なピン嵌合凹部が所定の長さに形成され、他方のアームの一端側には、ピン嵌合凹部の最深部と相対する頂部を有し、ピン嵌合凹部から離れる方向に頂部から延在するピン沿わせ面、及びピン沿わせ面から離れるにつれて、漸次ピン嵌合凹部から離間するように頂部から延在する第１ピン曲げ面からなる壁面形状の尖頭突出部が形成されている。
【発明の効果】
【００１２】
この発明によれば、軸に一対の脚部を挿通させた割りピンに対し、ピン嵌合凹部が割りピンの頭部に嵌合し、ピン沿わせ面が一方の脚部に沿うようにペンチを移動し、一対のアームの一端間を狭めるように、一対のアームを回動させるだけで、尖頭突出部を一対の脚部の間に押し込むことができる。つまり、作業者は、一対のアームを回動軸心まわりに回動させるという容易な作業を行うだけで、一対の脚部の先端間を離間させることができ、軸に割りピンを挿通させて取り付けるときの作業性が著しく向上する。
【図面の簡単な説明】
【００１３】
【図１】割りピンの正面図である。
【図２】割りピンの使用例を説明する斜視図である。
【図３】この発明の実施の形態１に係るペンチの正面図である。
【図４】図３のＡ方向から見たペンチの側面図である。
【図５】この発明の実施の形態１に係るペンチにおいて、ピン嵌合凹部に頭部を嵌合させて一対のアーム作用部の一端間に割りピンを配置させた状態を示す側面図である。
【図６】この発明の実施の形態１に係るペンチを用いて割りピンを軸に取り付ける作業を説明する正面図である。
【図７】図６のＶＩＩ−ＶＩＩ矢視断面図である。
【図８】割りピンが軸に取り付けられた状態を示す正面図である。
【図９】この発明の実施の形態２に係るペンチの側面図である。
【図１０】この発明実施の形態２に係るペンチを用いて割りピンを軸に取り付ける作業を説明する断面図である。
【発明を実施するための形態】
【００１４】
以下、この発明を実施するための最良の形態について、図面を参照して説明する。
【００１５】
実施の形態１．
まず、ペンチの説明に先立って、割りピンの構造について説明する。
図１は割りピンの正面図である。
図１において、割りピン１は、例えば、鋼製の棒状の部材を曲げ成形して作製され、頭部３と、頭部３から一方向に互いの間に略隙間なく延在する一対の脚部２ａ，２ｂと、を備えている。
頭部３は、所定の内径を有する環状体の一部を切り欠いた形状を有している。
そして、一対の脚部２ａ，２ｂが、頭部３の両端から延在されている。一方の脚部２ａは、他方の脚部２ｂより長く作製され、一方の脚部２ａの先端側は、他方の脚部２ｂの先端より若干延出されている。
【００１６】
次いで、上記のように構成された割りピン１の使用例について説明する。
図２は割りピンの使用例を説明する斜視図である。
図２において、割りピン１は、何らかの装置の本体１０に相対するように突設された一対の軸支持部１１に挿通された軸１３が、軸支持部１１から抜け出るのを防止するのに用いられる。
【００１７】
孔方向が径方向に一致するピン挿通孔１３ａが、軸１３の軸方向の一端及び他端近傍の部位に穿設されている。詳細には図示しないが、一対のピン挿通孔１３ａの間の間隔は、一対の軸支持部１１の間隔よりやや広く設定されている。そして、軸１３は、ピン挿通孔１３ａのそれぞれが、一対の軸支持部１１の外側で、かつ軸支持部１１の近傍に配置されるように、一対の軸支持部１１の外側に一端及び他端を延出させて軸支持部１１に支持されている。
【００１８】
割りピン１は、ピン挿通孔１３ａに一対の脚部２ａ，２ｂを挿通させて配置され、ピン挿通孔１３ａから延出された一対の脚部２ａ，２ｂの先端側を、互いに離間する方向に折り曲げて軸１３に取り付けられている。このように取り付けられた割りピン１により、軸１３が一対の軸支持部１１から脱落されることが防止される。
【００１９】
次いで、ペンチについて説明する。
図３はこの発明の実施の形態１に係るペンチの正面図、図４は図３のＡ方向から見たペンチの側面図、図５この発明の実施の形態１に係るペンチにおいて、ピン嵌合凹部に頭部を嵌合させて一対のアーム作用部の一端間に割りピンを配置させた状態を示す側面図である。
【００２０】
図３〜図５において、ペンチ２０Ａは、それぞれ延在方向の中間部の所定領域に構成される連結部２２ａ，２２ｂを有し、連結部２２ａ，２２ｂを重ね互いに交差させ、それぞれの連結部２２ａ，２２ｂからの延出部が互いに相対し、連結部２２ａ，２２ｂを通過する回動軸心まわりに回動自在に連結される一対のアーム２１Ａ，２１Ｂを備え、一対の挟持部２５ａ，２５ｂが、一対のアーム２１Ａ，２１Ｂの一端側の相対する部位に構成されている。
【００２１】
一方のアーム２１Ａは、連結部２２ａ、連結部２２ａから互いに逆方向に延設されるアーム作用部２３ａ及び把持部２４ａを備えている。なお、アーム作用部２３ａが、連結部２２ａの一側に配置され、挟持部２５ａがアーム作用部２３ａの先端側に構成されている。
【００２２】
そして、挟持部２５ａは、回動軸心の軸心方向に所定の幅を有し、挟持部２５ａの幅方向の中央部に開口するピン嵌合凹部２６が、割りピン１の頭部３が嵌合可能なように、アーム作用部２３ａの先端側（アーム２１Ａの一端）から連結部２２ａに向かって所定の長さに形成されている。ピン嵌合凹部２６の長手方向に直交する断面の形状は、挟持部２５ａの幅方向の中央部で最も深く、最深部から開口にむけて漸次幅広となっている。
【００２３】
他方のアーム２１Ｂは、アーム２１Ａと同様に、連結部２２ｂ、アーム作用部２３ｂ及び把持部２４ｂを備え、挟持部２５ｂがアーム作用部２３ｂの先端側に構成されている。
そして、挟持部２５ｂは、挟持部２５ａの幅に一致する回動軸心方向の幅を有し、挟持部２５ｂの幅中心の一側及び他側が、尖頭突出部２８及び低底部３１ａにより構成されている。尖頭突出部２８の壁面は、回動軸心に直交し、低底部３１ａの挟持部２５ｂの幅中心側の端部から突出され、突出端が尖頭突出部２８の頂部２８ａを構成するピン沿わせ面２９、及びピン沿わせ面２９から離れるに従って漸次ピン沿わせ面２９の基端側に壁面位置を変えて頂部２８ａから延在する第１ピン曲げ面３０を有している。
【００２４】
また、挟持部２５ａに相対して配置される低底部３１ａの面は、ピン沿わせ面２９に直交している。そして、頂部２８ａとピン沿わせ面２９の基端部との間の距離は、割りピン１の脚部２ｂ，２ｃを軸１３に形成されたピン挿通孔１３ａに挿通させ、頭部３を軸１３に当接させたときに、ピン挿通孔１３ａから延出される一方の脚部２ａの先端側の長さより長くなるように設定されている。
【００２５】
次いで、一対のアーム２１Ａ，２１Ｂの連結構造について説明する。
一対のアーム２１Ａ，２１Ｂは、一対のアーム作用部２３ａ，２３ｂ及び一対の把持部２４ａ，２４ｂのそれぞれが相対するように連結部２２ａ，２２ｂを重ねて配置され、連結部２２ａ，２２ｂに挿通された回動軸ピン３２の軸心まわりに回動自在に連結される。
【００２６】
連結部２２ａ，２２ｂには、回動軸心に孔中心が一致する貫通孔（図示せず）が形成されている。また、回動軸ピン３２は、連結部の貫通孔より僅かに小径に構成され、一端に雄ねじが形成されたピン軸（図示せず）、及びピン軸の他端にピン軸より大きな直径のヘッド３３を有している。そして、ピン軸を連結部２２ａ，２２ｂの貫通孔に連結部２２ａ側から挿通し、他方の連結部２２ｂから延出されるピン軸の雄ねじにナットを螺合させることで、一対のアーム２１Ａ，２１Ｂが連結されている。このとき、一対の連結部２２ａ，２２ｂは、回動軸ピン３２のヘッド３３とナットの間に締め付けられないように構成されており、これにより、一対のアーム２１Ａ，２１Ｂが、回動軸心としての回動軸ピン３２の軸心まわりに回動自在となっている。
【００２７】
以上のように一対のアーム２１Ａ，２１Ｂを連結して構成されたペンチ２０Ａにおいては、ピン嵌合凹部２６が、他方のアーム２１Ｂの一端側に向けて開口し、尖頭突出部２８の頂部２８ａとピン嵌合凹部２６とは相対する位置関係にある。また、一対の把持部２４ａ，２４ｂの先端（一対のアーム２１Ａ，２１Ｂの他端）を接近及び離反させるように、一対の把持部２４ａ，２４ｂを操作したときに、アーム作用部２３ａ，２３ｂの先端（一対のアーム２１Ａ，２１Ｂの一端）が、言い換えれば、ピン嵌合凹部２６と尖頭突出部２８とが接近及び離反される。
【００２８】
また、図５に示されるように、他方のアーム２１Ｂの尖頭突出部２８の頂部２８ａは、ピン嵌合凹部２６の最深部と相対する位置に配置される。このとき、ピン沿わせ面２９は、ピン嵌合凹部２６から離れる方向に頂部２８ａから延在し、第１ピン曲げ面３０は、ピン沿わせ面２９から離れるにつれて、漸次ピン嵌合凹部２６から離間するように頂部２８ａから延在する。
【００２９】
以上のように、嵌合凹部２６と尖頭突出部２８が相対しているので、軸１３に挿通された割りピン１に対し、ピン嵌合凹部２６と尖頭突出部２８とを離反させたペンチ２０Ａを適当な位置に移動させて向きを調整すれば、嵌合凹部２６に頭部３が嵌合させた状態で、ピン沿わせ面２９に一方の脚部２ａを沿わせることができる。
【００３０】
次いで、ペンチ２０Ａを用いて割りピン１を軸１３に取り付ける作業について説明する。
図６はこの発明の実施の形態１に係るペンチを用いて割りピンを軸に取り付ける作業を説明する正面図、図７は図６のＶＩＩ−ＶＩＩ矢視断面図、図８は割りピンが軸に取り付けられた状態を示す正面図である。
【００３１】
初期状態として、軸１３は、図２に示したように、一対の軸支持部１１の外側に一端及び他端を延出させて軸支持部１１に支持されているものとする。
図６に示されるように、作業者は、まず、割りピン１の一対の脚部２ａ，２ｂを、軸１３に形成されたピン挿通孔１３ａに挿通させる。次いで、一対のアーム２１Ａ，２１Ｂを回動軸ピン３２の軸心まわりに回動させ、ピン嵌合凹部２６と尖頭突出部２８の間の間隔を割りピン１の長さより広くする。
【００３２】
一対の脚部２ａ，２ｂの先端側が、軸１３の周方向に並ぶように割りピン１を向けた後、ピン嵌合凹部２６を割りピン１の頭部３に嵌合させ、ペンチ２０Ａの向きを調整し、ピン沿わせ面２９に一方の脚部２ａを沿わせる。このとき、他方の脚部２ｂの先端と一方の脚部２ａの間の部位が、尖頭突出部２８の頂部２８ａと相対する。次いで、ピン嵌合凹部２６と尖頭突出部２８の間隔を狭める。
【００３３】
さらに、図７に示されるように、ピン嵌合凹部２６と尖頭突出部２８の間隔を狭めるように一対のアーム２１Ａ，２１Ｂを回動させ、尖頭突出部２８の頂部２８ａを一対の脚部２ａ，２ｂの間に押し込む。このとき、ピン沿わせ面２９は、一方の脚部２ａの先端側に接しながら一方の脚部２ａに沿って移動するとともに、第１ピン曲げ面３０が他方の脚部２ｂの基端側に向かって移動する。これにより、他方の脚部２ｂの先端側は、第１ピン曲げ面３０に押されて第１ピン曲げ面３０に沿った方向に曲げられるので、一方の脚部２ａの先端側から離れる。
【００３４】
このようにして、一対の脚部２ａ，２ｂの先端間を離した後、一対の脚部２ａ，２ｂの先端側を、例えば、両手に把持したラジオペンチ（図示せず）で掴み、図８に示されるように、一対の脚部２ａ，２ｂを逆方向に折り曲げる。以上により、割りピン１が軸１３に取り付けられ、軸１３の軸支持部１１からの脱落が防止される。
【００３５】
この実施の形態１によれば、ペンチ２０Ａは、それぞれ、一端及び他端の間に構成される連結部２２ａ，２２ｂを有し、連結部２２ａ，２２ｂを通過する回動軸心まわりに回動自在に連結され、一端間が、他端間を接近及び離反させるのに応じて、接近及び離反するように構成された一対のアーム２１Ａ，２１Ｂを備えている。そして、一方のアーム２１Ａの一端側には、他方のアーム２１Ｂに向けて開口し、かつ頭部３に嵌合可能なピン嵌合凹部２６が所定の長さに形成されている。また、他方のアーム２１Ｂの一端側には、ピン嵌合凹部２６の最深部と相対する頂部２８ａを有し、ピン嵌合凹部２６から離れる方向に頂部２８ａから延在するピン沿わせ面２９、及びピン沿わせ面２９から離れるにつれて、漸次ピン嵌合凹部２６から離間するように頂部２８ａから延在する第１ピン曲げ面３０からなる壁面形状の尖頭突出部２８が形成されている。
【００３６】
従って、軸１３に一対の脚部２ａ，２ｂを挿通させた割りピン１に対し、ピン嵌合凹部２６が割りピン１の頭部３に嵌合し、ピン沿わせ面２９が一方の脚部２ａに沿うようにペンチ２０Ａを移動し、一対のアーム２１Ａ,２１Ｂの一端間を狭めるように、一対のアーム２１Ａ，２１Ｂを回動させるだけで、尖頭突出部２８を一対の脚部２ａ，２ｂの間に押し込むことができる。つまり、作業者は、尖頭突出部２８が一対の脚部２ａ，２ｂの間に押し込まれるようにアーム２１Ａ，２１Ｂを回動軸心まわりに回動させるという容易な作業を行うだけで、一対の脚部２ａ，２ｂの先端間を離間させるように他方の脚部２ｂを折り曲げることができる。
【００３７】
また、他方の脚部２ｂを曲げてしまえば、一対の脚部２ａ，２ｂの先端間が離れるので、一対の脚部２ａ，２ｂのそれぞれの先端側は、両手に把持したラジオペンチのそれぞれで簡単に掴むことができる。これにより、一方の脚部２ａを他方の脚部２ｂと逆側に曲げる作業は、他方の脚部２ｂの先端側を掴んだラジオペンチの状態を維持しながら一方の脚部２ａの先端側を他方の脚部２ａの先端側と逆側に曲げることで簡単に行える。ペンチ２０Ａを用いることにより、軸１３に割りピン１を挿通させて取り付けるときの作業性を著しく向上させることができる。
【００３８】
なお、上記実施の形態１では、ピン嵌合凹部２６及び尖頭突出部２８は、一方及び他方のアーム２１Ａ，２１Ｂの一端から連結部２２ａに向かって所定の長さに形成されるものとして説明したが、ピン嵌合凹部２６及び尖頭突出部２８は、一方及び他方のアーム２１Ａ，２１Ｂの一端から連結部２２ａに向かって形成されるものに限定されない。ピン嵌合凹部２６及び尖頭突出部２８は、一方及び他方のアーム２１Ａ，２１Ｂの連結部２２ａ，２２ｂより一端側の所定部位に形成されていればよい。
【００３９】
また、ピン嵌合凹部２６は、長手方向に垂直な断面が、最深部から開口に向かって漸次幅広となる形状であるものとして説明したが、ピン嵌合凹部の形状はこのものに限定されない。ピン嵌合凹部の長手方向に垂直な断面形状は、割りピン１の頭部３が嵌合可能なものであればよく、例えば、ピン嵌合凹部の断面形状を、割りピン１の頭部３の直径よりやや幅広で、所定の深さを有する矩形形状にしてもよい。
【００４０】
実施の形態２．
図９はこの発明の実施の形態２に係るペンチの側面図、図１０はこの発明の実施の形態２に係るペンチを用いて割りピンを軸に取り付ける作業を説明する断面図である。
なお、図９及び図１０において、上記実施の形態１と同一または相当部分には同一符号を付し、その説明は省略する。
【００４１】
図９において、ペンチ２０Ｂは、アーム２１Ｂに代え、アーム２１Ｃが用いられる他はペンチ２０Ａと同様に構成されている。
アーム２１Ｃは、アーム作用部２３ｂに代え、低底部３１ｂ及び尖頭突出部２８からなる挟持部２５ｃが形成されたアーム作用部２３ｃを有する他はアーム２１Ｂと同様に構成されている。
挟持部２５ｃに相対して配置される低底部３１ｂの面は、ピン沿わせ面２９から離れるに従って、ピン沿わせ面２９に直交する面から離れる方向に壁面位置を変えるように、頂部２８ａから所定距離だけ離間するピン沿わせ面２９の基端部から延在する第２ピン曲げ面３４を構成している。なお、所定距離は、割りピン１において、他方の脚部２ｂから延出される一方の脚部２ａの長さより長く設定される。
【００４２】
一対のアーム２１Ａ，２１Ｃを連結して構成されるペンチ２０Ｂにおいて、ピン沿わせ面２９の基端部は、ピン嵌合凹部２６から離れる方向に向かって頂部２８ａから所定距離だけ離間する位置に配置される。そして、第２ピン曲げ面３４は、ピン沿わせ面２９から離れるにつれて、漸次ピン嵌合凹部２６から離れるように、ピン沿わせ面２９の基端部から第１ピン曲げ面３０と逆側に延在される。
【００４３】
次いで、ペンチ２０Ｂを用いて割りピン１を軸１３に取り付ける作業について説明する。
【００４４】
初期状態として、軸１３は、図２に示したように、一対の軸支持部１１の外側に一端及び他端を延出させて軸支持部１１に支持されているものとする。
作業者は、まず、割りピン１の一対の脚部２ａ，２ｂを、軸１３に形成されたピン挿通孔１３ａに挿通させる。次いで、一対のアーム２１Ａ，２１Ｃを回動軸ピン３２の軸心まわりに回動させ、ピン嵌合凹部２６と尖頭突出部２８の間の間隔を割りピン１の長さより広くする。
【００４５】
一対の脚部２ａ，２ｂの先端側が、軸１３の周方向に並ぶように割りピン１を向けた後、ピン嵌合凹部２６を割りピン１の頭部３に嵌合させ、ペンチ２０Ｂの向きを調整し、ピン沿わせ面２９に一方の脚部２ａを沿わせる。このとき、他方の脚部２ｂの先端と一方の脚部２ａの間の部位が、尖頭突出部２８の頂部２８ａと相対する。次いで、ピン嵌合凹部２６と尖頭突出部２８の間隔を狭める。
【００４６】
さらに、図１０に示されるように、ピン嵌合凹部２６と尖頭突出部２８の間隔を狭めるように一対のアーム２１Ａ，２１Ｃを回動させ、尖頭突出部２８の頂部２８ａを一対の脚部２ａ，２ｂの間に押し込む。このとき、ピン沿わせ面２９は、一方の脚部２ａの先端側に接しながら一方の脚部２ａに沿って移動するとともに、第１ピン曲げ面３０が他方の脚部２ｂの基端側に向かって移動する。これにより、他方の脚部２ｂの先端側は、第１ピン曲げ面３０に押されて第１ピン曲げ面３０に沿った方向に曲げられるので、一方の脚部２ａの先端側から離れる。
【００４７】
他方の脚部２ｂが折り曲げられてから、さらに、ピン嵌合凹部２６と尖頭突出部２８の間隔を狭めるように一対のアーム２１Ａ，２１Ｃを回動させる。これにより、第２ピン曲げ面３４が、一方の脚部２ａに当接する。さらに、ピン嵌合凹部２６と尖頭突出部２８の間隔を狭める。これにより、他方の脚部２ｂの先端側は、第２ピン曲げ面３４に押されて第１ピン曲げ面３０に沿った方向に曲げられる。このとき、一対の脚部２ａ，２ｂは互いに逆側に折り曲げられる。
【００４８】
この実施の形態２のペンチ２０Ｂは、他方のアーム２１Ｃの一端側に、ピン沿わせ面２９及び第１ピン曲げ面３０を壁面に有する尖頭突出部２８と、ピン沿わせ面２９から離れるにつれて、漸次ピン嵌合凹部２６から離れるように、嵌合凹部２６から離間する方向に向かって頂部２８ａから所定距離だけ離間したピン沿わせ面２９の基端部から延在する第２ピン曲げ面３４を壁面形状に有する低底部３１ｂと、を備えている。
【００４９】
従って、ペンチ２０Ｂを用いれば、作業者は、尖頭突出部２８が一対の脚部２ａ，２ｂの間に押し込しこみ、一方の脚部２ａが第２ピン曲げ面３４に当接してから、さらに一対のアーム２１Ａ，２１Ｃの一端間を狭めるように一対のアーム２１Ａ，２１Ｃを回動させるという容易な作業を行うだけで、一対の脚部２ａ，２ｂの先端間を互いに離間する方向に同時に折り曲げることができる。従って、軸１３に割りピン１を挿通させて取り付けるときの作業性を一層向上させることができる。
【符号の説明】
【００５０】
１  割りピン、２ａ，２ｂ  脚部、３  頭部、２０Ａ，２０Ｂ  ペンチ、２１Ａ〜２１Ｃ  アーム、２２ａ，２２ｂ  連結部、２６  ピン嵌合凹部、２８  尖頭突出部、２８ａ  頂部、２９  ピン沿わせ面、３０  第１ピン曲げ面、３１ｂ  低底部、３４  第２ピン曲げ面。
【図１】
2011152607.tif 000003
【図２】
2011152607.tif 000004
【図３】
2011152607.tif 000005
【図４】
2011152607.tif 000006
【図５】
2011152607.tif 000007
【図６】
2011152607.tif 000008
【図７】
2011152607.tif 000009
【図８】
2011152607.tif 000010
【図９】
2011152607.tif 000011
【図１０】
2011152607.tif 000012